(57)【特許請求の範囲】
【請求項１】
停止条件が成立した時、自動停止するとともに、再始動条件が成立した時、再始動するエンジンと、
前記エンジンによって駆動される第１オイルポンプと、
前記エンジンの自動停止中に作動する第２オイルポンプと、
前記車両が加速状態であるかの判定、加速要求があるかの判定、及び加速要求が予測されるかの判定、の加速条件判定のうち一つ以上を行う加速判定手段と、
前記停止条件が成立した時、前記第２オイルポンプを作動させ、前記再始動条件が成立してから前記加速判定手段による判定が行われるまでの間、前記第２オイルポンプの作動を継続させるオイルポンプ制御手段と、
を備えることを特徴とするエンジン自動停止車両。
【請求項２】
前記オイルポンプ制御手段は、前記再始動条件が成立してから駆動継続上限時間が経過した時、前記加速条件判定が成立していなくても前記第２オイルポンプの作動を停止させることを特徴とする請求項１に記載のエンジン自動停止車両。
【請求項３】
前記オイルポンプ制御手段は、前記再始動条件が成立した後は、前記再始動条件が成立する前より低出力で前記第２オイルポンプの作動を継続させることを特徴とする請求項１又は２に記載のエンジン自動停止車両。
【請求項４】
前記加速判定手段は、前記車両の加速度が負の値から正の値へと変化したこと、加速度が正の値である状態が継続したこと、車速が前記再始動条件が成立した時点における車速より高くなったこと、又は車速が前記再始動条件が成立した時点における車速より高い状態が継続したこと、のうち一つ以上に基づいて、前記車両が加速状態であるかの判定を行うことを特徴とする請求項１から３までのいずれか一つに記載のエンジン自動停止車両。
【請求項５】
前記加速判定手段は、アクセルペダルの踏み込み量がゼロより大きくなったこと、前記アクセルペダルの踏み込み量がゼロより大きい状態が継続したこと、前記アクセルペダルの踏み込み量が加速判定踏み込み量以上となったこと、前記アクセルペダルの踏み込み量が加速判定踏み込み量以上である状態が継続したこと、又は前記アクセルペダルの踏み込み速度が加速判定踏み込み速度以上となったこと、のうち一つ以上に基づいて、前記加速要求があるかの判定を行うことを特徴とする請求項１から４までのいずれか一つに記載のエンジン自動停止車両。
【請求項６】
前記加速判定手段は、ブレーキペダルの解放速度が加速判定解放速度以上となったこと、又は前記ブレーキペダルの踏み込み量がゼロとなってからアクセルペダルの踏み込み量がゼロより大きくなるまでに要する時間が加速判定踏み換え時間以下であること、のうち一つ以上に基づいて、前記加速要求が予測されるかの判定を行うことを特徴とする請求項１から５までのいずれか一つに記載のエンジン自動停止車両。
【請求項７】
停止条件が成立した時、自動停止するとともに、再始動条件が成立した時、再始動するエンジンと、前記エンジンによって駆動される第１オイルポンプと、前記エンジンの自動停止中に作動する第２オイルポンプとを備えるエンジン自動停止車両の制御方法であって、
前記車両が加速状態であるかの判定、加速要求があるかの判定、及び加速要求が予測されるかの判定、の加速条件判定のうち一つ以上を行う判定手順と、
前記停止条件が成立した時、前記第２オイルポンプを作動させ、前記再始動条件が成立してから前記判定手順による判定が行われるまでの間、前記第２オイルポンプの作動を継続させる継続手順と、
を含むことを特徴とするエンジン自動停止車両の制御方法。
【発明の詳細な説明】
【技術分野】
【０００１】
本発明は、エンジンを自動的に停止及び再始動させるエンジン自動停止車両に関する。
【背景技術】
【０００２】
所定のエンジン停止条件が成立した時、一時的にエンジンを自動停止させ、再始動条件が成立した時、エンジンを自動的に再始動させるように制御するエンジン停止制御が知られている。エンジン停止制御としては、例えばアイドルストップ制御やコーストストップ制御が知られている。
【０００３】
アイドルストップ制御は、車両が停止したことによりアイドルストップ条件が成立した時、エンジンを停止させ、ブレーキオフなどによりアイドルストップ条件が非成立となった時、エンジンを再始動させる。
【０００４】
またコーストストップ制御は、車両が走行中にアクセルオフかつブレーキオンによってコースト状態となっている場合であって車速が所定車速以下となった時、エンジンを停止させ、アクセルオンやブレーキオフによってコーストストップ条件が非成立となった時、エンジンを再始動させる。
【０００５】
上記エンジン停止制御によってエンジンが停止している場合は、エンジンによって駆動されるメカオイルポンプも同時に停止する。そこで、特許文献１には、メカオイルポンプとは別に、バッテリに蓄電された電力によって作動する電動オイルポンプを設け、エンジン停止制御中に電動オイルポンプを駆動することで変速機の作動油圧を確保することが記載されている。
【先行技術文献】
【特許文献】
【０００６】
【特許文献１】特開２００７−２４７９１０公報
【発明の概要】
【発明が解決しようとする課題】
【０００７】
ここで、電動オイルポンプがオフ状態からオン状態へと切り替わる時、ポンプを回転駆動するモータを制御するモータドライバが発熱する。そこで、モータドライバの過熱を防止するため、電動オイルポンプは停止してから一定の時間だけ再起動を禁止するように制御される。
【０００８】
しかし、エンジン停止制御中にエンジン停止条件が非成立となり、エンジンが再始動するとともに電動オイルポンプが停止した後、すぐに再度エンジン停止条件が成立するような状況では、電動オイルポンプの再起動がまだ禁止されているので、油圧確保の点からメカオイルポンプの作動を継続させる必要があり、よって再起動禁止の時間が経過するまではエンジンを停止させることができない。
【０００９】
すなわち、エンジン停止制御が可能な状況であっても、電動オイルポンプの再起動禁止が解除されるまではエンジン停止制御を行うことができない。これにより、エンジン停止制御の開始が遅れ、その分だけエンジンを停止させる時間が短くなるので、エンジン停止制御による燃費の向上効果が低減する。
【００１０】
本発明は、エンジン停止制御による燃費の向上効果を促進することを目的とする。
【課題を解決するための手段】
【００１１】
本発明のある態様によれば、停止条件が成立した時、自動停止するとともに、再始動条件が成立した時、再始動するエンジンと、エンジンによって駆動される第１オイルポンプと、エンジンの自動停止中に作動する第２オイルポンプと、車両が加速状態であるかの判定、加速要求があるかの判定、及び加速要求が予測されるかの判定、の加速条件判定のうち一つ以上を行う加速判定手段と、停止条件が成立した時、第２オイルポンプを作動させ、再始動条件が成立してから加速判定手段による判定が行われるまでの間、第２オイルポンプの作動を継続させるオイルポンプ制御手段と、を備えることを特徴とするエンジン自動停止車両が提供される。
【００１２】
また、本発明の別の態様によれば、停止条件が成立した時、自動停止するとともに、再始動条件が成立した時、再始動するエンジンと、エンジンによって駆動される第１オイルポンプと、エンジンの自動停止中に作動する第２オイルポンプとを備えるエンジン自動停止車両の制御方法であって、車両が加速状態であるかの判定、加速要求があるかの判定、及び加速要求が予測されるかの判定、の加速条件判定のうち一つ以上を行う判定手順と、停止条件が成立した時、第２オイルポンプを作動させ、再始動条件が成立してから判定手順による判定が行われるまでの間、第２オイルポンプの作動を継続させる継続手順と、を含むことを特徴とするエンジン自動停止車両の制御方法が提供される。
【発明の効果】
【００１３】
これらの態様によれば、一時的にエンジンの自動停止が中断されたような状況において第２オイルポンプが停止されることを回避できるので、エンジンの停止条件が再度成立した時に第２オイルポンプの制約を受けることなく迅速にエンジンを自動停止させることができる。よって、エンジンの自動停止による燃費の向上効果を促進することができる。
【図面の簡単な説明】
【００１４】
【図１】第１実施形態におけるエンジン自動停止車両の概略構成図である。
【図２】コントローラの内部構成を示した図である。
【図３】第１実施形態においてコントローラが実行する電動オイルポンプの制御の内容を示したフローチャートである。
【図４】比較例における電動オイルポンプの制御を説明するためのタイムチャートである。
【図５】第１実施形態の作用効果を説明するためのタイムチャートである。
【図６】第１実施形態の作用効果を説明するためのタイムチャートである。
【図７】第２実施形態においてコントローラが実行する電動オイルポンプの制御の内容を示したフローチャートである。
【図８】第２実施形態の作用効果を説明するためのタイムチャートである。
【図９】その他の実施形態の作用効果を説明するためのタイムチャートである。
【発明を実施するための形態】
【００１５】
以下、添付図面を参照しながら本発明の実施形態について説明する。なお、以下の説明において、ある変速機構の「変速比」は、当該変速機構の入力回転速度を当該変速機構の出力回転速度で割って得られる値である。
【００１６】
（第１実施形態）
図１は本発明の第１実施形態に係るエンジン自動停止車両を示す概略構成図である。この車両は駆動源としてエンジン１を備え、エンジン１の出力回転は、ロックアップクラッチ付きトルクコンバータ２、第１ギヤ列３、無段変速機（以下、単に「変速機４」という。）、第２ギヤ列５、終減速装置６を介して駆動輪７へと伝達される。第２ギヤ列５には駐車時に変速機４の出力軸を機械的に回転不能にロックするパーキング機構８が設けられている。
【００１７】
変速機４には、エンジン１の回転が入力されエンジン１の動力の一部を利用して駆動されるメカオイルポンプ１０ｍと、バッテリ１３から電力供給を受けて駆動される電動オイルポンプ１０ｅとが設けられている。電動オイルポンプ１０ｅは、オイルポンプ本体と、これを回転駆動する電気モータ及びモータドライバとで構成され、運転負荷を任意の負荷に、あるいは、多段階に制御することができる。また、変速機４には、メカオイルポンプ１０ｍあるいは電動オイルポンプ１０ｅからの油圧（以下、「ライン圧ＰＬ」という。）を調圧して変速機４の各部位に供給する油圧制御回路１１が設けられている。
【００１８】
変速機４は、ベルト式無段変速機構（以下、「バリエータ２０」という。）と、バリエータ２０に直列に設けられる副変速機構３０とを備える。「直列に設けられる」とはエンジン１から駆動輪７に至るまでの動力伝達経路においてバリエータ２０と副変速機構３０が直列に設けられるという意味である。副変速機構３０は、この例のようにバリエータ２０の出力軸に直接接続されていてもよいし、その他の変速ないし動力伝達機構（例えば、ギヤ列）を介して接続されていてもよい。あるいは、副変速機構３０はバリエータ２０の前段（入力軸側）に接続されていてもよい。
【００１９】
バリエータ２０は、プライマリプーリ２１と、セカンダリプーリ２２と、プーリ２１、２２の間に掛け回されるＶベルト２３とを備える。プーリ２１、２２は、それぞれ固定円錐板と、この固定円錐板に対してシーブ面を対向させた状態で配置され固定円錐板との間にＶ溝を形成する可動円錐板と、この可動円錐板の背面に設けられて可動円錐板を軸方向に変位させる油圧シリンダ２３ａ、２３ｂとを備える。油圧シリンダ２３ａ、２３ｂに供給される油圧を調整すると、Ｖ溝の幅が変化してＶベルト２３と各プーリ２１、２２との接触半径が変化し、バリエータ２０の変速比が無段階に変化する。
【００２０】
副変速機構３０は前進２段・後進１段の変速機構である。副変速機構３０は、２つの遊星歯車のキャリアを連結したラビニョウ型遊星歯車機構３１と、ラビニョウ型遊星歯車機構３１を構成する複数の回転要素に接続され、それらの連係状態を変更する複数の摩擦締結要素（Ｌｏｗブレーキ３２、Ｈｉｇｈクラッチ３３、Ｒｅｖブレーキ３４）とを備える。各摩擦締結要素３２〜３４への供給油圧を調整し、各摩擦締結要素３２〜３４の締結・解放状態を変更すると、副変速機構３０の変速段が変更される。
【００２１】
例えば、Ｌｏｗブレーキ３２を締結し、Ｈｉｇｈクラッチ３３とＲｅｖブレーキ３４を解放すれば副変速機構３０の変速段は１速となる。Ｈｉｇｈクラッチ３３を締結し、Ｌｏｗブレーキ３２とＲｅｖブレーキ３４を解放すれば副変速機構３０の変速段は１速よりも変速比が小さな２速となる。また、Ｒｅｖブレーキ３４を締結し、Ｌｏｗブレーキ３２とＨｉｇｈクラッチ３３を解放すれば副変速機構３０の変速段は後進となる。なお、以下の説明では、副変速機構３０の変速段が１速である場合に「変速機４が低速モードである」と表現し、２速である場合に「変速機４が高速モードである」と表現する。
【００２２】
コントローラ１２は、エンジン１及び変速機４を統合的に制御するコントローラであり、図２に示すように、ＣＰＵ１２１と、ＲＡＭ・ＲＯＭからなる記憶装置１２２と、入力インターフェース１２３と、出力インターフェース１２４と、これらを相互に接続するバス１２５とから構成される。
【００２３】
入力インターフェース１２３には、アクセルペダルの操作量であるアクセル開度ＡＰＯを検出するアクセル開度センサ４１の出力信号、変速機４の入力回転速度（＝プライマリプーリ２１の回転速度、以下、「プライマリ回転速度Ｎｐｒｉ」という。）を検出する回転速度センサ４２の出力信号、車速ＶＳＰを検出する車速センサ４３の出力信号、ライン圧ＰＬを検出するライン圧センサ４４の出力信号、セレクトレバーの位置を検出するインヒビタスイッチ４５の出力信号、ブレーキ液圧を検出するブレーキ液圧センサ４６の出力信号、車両の加速度を検出する加速度センサ４７の出力信号等が入力される。
【００２４】
記憶装置１２２には、エンジン１の制御プログラム、変速機４の変速制御プログラム、これらプログラムで用いられる各種マップ・テーブルが格納されている。ＣＰＵ１２１は、記憶装置１２２に格納されているプログラムを読み出して実行し、入力インターフェース１２３を介して入力される各種信号に対して各種演算処理を施して、燃料噴射量信号、点火時期信号、スロットル開度信号、変速制御信号、電動オイルポンプ１０ｅの駆動信号を生成し、生成した信号を出力インターフェース１２４を介してエンジン１、油圧制御回路１１、電動オイルポンプ１０ｅのモータドライバに出力する。ＣＰＵ１２１が演算処理で使用する各種値、その演算結果は記憶装置１２２に適宜格納される。
【００２５】
油圧制御回路１１は複数の流路、複数の油圧制御弁で構成される。油圧制御回路１１は、コントローラ１２からの変速制御信号に基づき、複数の油圧制御弁を制御して油圧の供給経路を切り換えるとともにメカオイルポンプ１０ｍ又は電動オイルポンプ１０ｅで発生した油圧から必要な油圧を調製し、これを変速機４の各部位に供給する。これにより、バリエータ２０の変速比、副変速機構３０の変速段が変更され、変速機４の変速が行われる。
【００２６】
ここで、メカオイルポンプ１０ｍ及び電動オイルポンプ１０ｅの作動について説明する。
【００２７】
メカオイルポンプ１０ｍは、エンジン１の動力の一部を利用して駆動されるので、エンジン１が停止している間は油圧を油圧制御回路１１へ供給することができなくなる。そこで、エンジン停止中における油圧を確保するため、エンジン１が停止している間は電動オイルポンプ１０ｅを駆動させる。
【００２８】
なお、ここでいう「エンジン１が停止している間」は、車両が駐車状態（キーオフ）である場合は含まず、車両が運転状態（エンジン始動後、キーオンされている状態）であって（車速＝０を含む）エンジン１が停止している状態を意味する。また、「エンジン１が停止」はエンジン１の回転が必ずしも完全に停止していることを要件とせず、メカオイルポンプ１０ｍだけでは必要油圧を確保できなくなるような極低速回転も含む。
【００２９】
すなわち、電動オイルポンプ１０ｅが作動する場合は、エンジン１がアイドルストップ制御又はコーストストップ制御によって停止している場合、すなわち、エンジン１がアイドルストップ状態又はコーストストップ状態にある場合である。以下、アイドルストップ制御及びコーストストップ制御について説明する。
【００３０】
アイドルストップ制御は、停車中にエンジン１を自動的に停止（アイドルストップ）させて燃料消費量を抑制する制御である。
【００３１】
アイドルストップを実行するにあたり、コントローラ１２は、例えば、以下に示す条件ａ１〜ａ６を判定する。
【００３２】
ａ１：車両が停車中（ＶＳＰ＝０）
ａ２：ブレーキペダルが踏み込まれている（ブレーキ液圧が所定値以上）
ａ３：アクセルペダルから足が離されている（アクセル開度ＡＰＯ＝０）
ａ４：エンジン１の水温が所定範囲Ｘｅ内
ａ５：変速機４の油温が所定範囲Ｘｔ内
ａ６：車体の傾斜（≒路面勾配）が所定値以下
【００３３】
そして、コントローラ１２は、これらの条件ａ１〜ａ６が全て成立した場合にアイドルストップ条件成立と判定してアイドルストップを許可し、燃料噴射をカットしてエンジン１を停止させる。
【００３４】
エンジン１の水温の所定範囲Ｘｅは、下限値がエンジン１の暖機が完了していると判断される温度に設定され、上限値がエンジン１のアフターアイドルが必要な高温域の下限に設定される。
【００３５】
また、アイドルストップ中は電動オイルポンプ１０ｅで発生させた油圧で変速機４の摩擦締結要素を締結又はピストンをストロークさせておくことで摩擦締結要素が動力伝達可能となるまでに要する時間を短縮する。したがって、変速機４の油温の所定範囲Ｘｔは、作動油の粘度を考慮して電動オイルポンプ１０ｅが正常に回転できる温度範囲に設定される。
【００３６】
また、コントローラ１２は、アイドルストップ中も上記条件ａ１〜ａ６がそれぞれ継続して成立しているかを判定し、一つでも成立しなくなるとアイドルストップ条件非成立と判定し、アイドルストップを終了、すなわち、エンジン１を再始動する。
【００３７】
一方、コーストストップ制御は、車両がコースト状態であって、例えば、ロックアップクラッチが解放されている場合にエンジン１を停止させる制御である。
【００３８】
コースト状態では、燃料消費量を抑制する目的で燃料噴射がカットされるが、エンジン１は駆動輪によって連れ回されて回転しているので、メカオイルポンプ１０ｍは駆動され必要油圧を確保することができる。しかし、車速がある程度低下するとトルクコンバータ２のロックアップクラッチが解放され、これによりエンジン１の回転速度が低下するのでエンジンストールを回避するために燃料噴射が再開される。このように本来燃料噴射を再開していた領域において燃料噴射をカットしてエンジン１を停止させる制御がコーストストップ制御である。
【００３９】
コーストストップ制御中は燃料噴射がカットされ、かつロックアップクラッチが解放されているので、エンジン１の回転速度は極低回転であり、これにより、メカオイルポンプ１０ｍの回転はほぼ停止している。そこで、必要油圧を確保するため、コーストストップ制御時に電動オイルポンプ１０ｅが駆動される。
【００４０】
コーストストップ状態を判定するために、コントローラ１２は、例えば、以下に示す条件ｂ１〜ｂ４を判定する。
【００４１】
ｂ１：車両が走行中（ＶＳＰ≠０）
ｂ２：車速が所定車速ＶＳＰ１以下である（ＶＳＰ≦ＶＳＰ１）
ｂ３：アクセルペダルから足が離されている（アクセル開度ＡＰＯ＝０）
ｂ４：ブレーキペダルが踏み込まれている（ブレーキ液圧が所定値以上）
【００４２】
なお、所定車速ＶＳＰ１は、コースト状態においてロックアップクラッチを解除させる車速以下であってゼロより大きい値に設定される。
【００４３】
そして、コントローラ１２は、これらの条件ｂ１〜ｂ４が全て成立した場合にコーストストップ条件成立と判定してコーストストップを許可し、燃料噴射をカットしてエンジン１を停止させる。
【００４４】
また、コントローラ１２は、コーストストップ中も上記条件ｂ１〜ｂ４がそれぞれ継続して成立しているかを判定し、一つでも成立しなくなるとコーストストップ条件非成立と判定し、コーストストップを終了、すなわち、エンジン１を再始動する。なお、コーストストップを終了する条件は上記条件ｂ１〜ｂ４に限られない。
【００４５】
アイドルストップ制御及びコーストストップ制御は以上のように行われ、いずれか一方が実行されている場合にエンジン１は停止中であると判断して電動オイルポンプ１０ｅを駆動させる。なお、上記条件から明らかなように、コーストストップ状態のまま車両が停止すると、そのままアイドルストップ状態へと移行するが、この場合エンジン１は停止したまま、すなわち電動オイルポンプ１０ｅは駆動状態のまま、コーストストップ制御からアイドルストップ制御へと移行する。
【００４６】
またここで、電動オイルポンプ１０ｅの過熱防止について説明する。
【００４７】
電動オイルポンプ１０ｅは、前述のようにオイルポンプ本体と、これを回転駆動する電気モータ及びモータドライバとで構成される。モータドライバは電動オイルポンプ１０ｅをオフ状態からオン状態へと切り替える時に発熱するので、モータドライバの過熱による構成部品の破損及び寿命の低下を防止する必要がある。このため、電動オイルポンプ１０ｅは作動後の一定時間だけ再起動を禁止するように制御され、一定時間が経過するまでは再びＯＮ状態とすることが禁止される。
【００４８】
したがって、アイドルストップ制御及びコーストストップ制御の条件が一時的に非成立となり、その直後に再度条件成立となった場合には、前述の一定時間がまだ経過していないので電動オイルポンプ１０ｅの再起動が禁止されており、結果としてエンジン１を停止することができなくなる。
【００４９】
例えば、アイドルストップ状態である場合に運転者がブレーキペダルから足を離したことでアイドルストップ条件が非成立となってエンジン１が再始動したような場合には、その後すぐにブレーキペダルが踏み込まれてアイドルストップ条件が再度成立しても、電動オイルポンプ１０ｅの起動禁止タイマ（ＥＯＰ起動禁止タイマ）が完了するまでは電動オイルポンプ１０ｅを駆動させることができず、この間エンジン１を停止させることができない。これにより、エンジン１の停止が遅れる分だけ燃料消費量が増大して燃費が悪化する。
【００５０】
そこで、本実施形態では以下のように電動オイルポンプ１０ｅを制御している。図３はコントローラ１２が実行する電動オイルポンプ１０ｅの制御の内容を示したフローチャートである。なお、このフローチャートは規定時間毎（例えば、１０ｍｓｅｃ毎）に繰り返し実行される。
【００５１】
ステップＳ１１では、コントローラ１２は電動オイルポンプ１０ｅが停止しているか否かを判定する。電動オイルポンプ１０ｅが停止している場合は処理がステップＳ１２へ進み、電動オイルポンプ１０ｅが作動中である場合には処理がステップＳ１５へ進む。
【００５２】
ステップＳ１２では、コントローラ１２はアイドルストップ条件又はコーストストップ条件が成立するか否かを判定する。アイドルストップ条件又はコーストストップ条件が成立する場合には処理がステップＳ１３へ進み、いずれの条件も成立しない場合には処理が終了する。ここで、アイドルストップ条件及びコーストストップ条件は、前述のアイドルストップ制御及びコーストストップ制御の実行を判定する条件ａ１〜ａ６及びｂ１〜ｂ４である。
【００５３】
ステップＳ１３では、コントローラ１２はＥＯＰ起動禁止タイマが完了したか否かを判定する。ＥＯＰ起動禁止タイマが完了したと判定された場合には処理がステップＳ１４へ進み、ゼロより大きい場合には処理が終了する。ＥＯＰ起動禁止タイマは、電動オイルポンプ１０ｅの再起動が禁止される期間をカウントするために設けられるタイマであり、電動オイルポンプ１０ｅを起動後停止した場合に、所定値からゼロとなるまで徐々に低下するように設定される。ＥＯＰ起動禁止タイマが完了していない場合には、アイドルストップ条件又はコーストストップ条件が成立していても電動オイルポンプ１０ｅを起動することができないので処理が終了する。
【００５４】
ステップＳ１４では、コントローラ１２は電動オイルポンプ１０ｅを起動する。すなわち、アイドルストップ条件又はコーストストップ条件が成立し、かつ前回電動オイルポンプ１０ｅを停止してから再起動禁止期間が経過した後である場合、エンジン１を停止させるとともに電動オイルポンプ１０ｅを起動させる。
【００５５】
一方、ステップＳ１１において電動オイルポンプ１０ｅが作動中であると判定された場合には、ステップＳ１５においてコントローラ１２はアイドルストップ条件及びコーストストップ条件が非成立であるか否かを判定する。いずれの条件も非成立であると判定される場合には処理がステップＳ１６へ進み、いずれかの条件が成立している場合には処理が終了する。アイドルストップ条件及びコーストストップ条件は前述のステップＳ１２と同一である。なお、アイドルストップ条件及びコーストストップ条件が非成立となる時、電動オイルポンプ１０ｅの駆動状態にかかわらずエンジン１が再始動される。
【００５６】
ステップＳ１６では、コントローラ１２は車両が加速状態であるか否かを判定する。車両が加速状態であると判定される場合には処理がステップＳ１８へ進み、加速状態でないと判定される場合には処理がステップＳ１７へ進む。車両が加速状態であることは以下に示す条件ｃ１〜ｃ４を一つ以上満たすことによって判定される。
【００５７】
ｃ１：車両の加速度が負の値（減速状態）から正の値（加速状態）へと変化した
ｃ２：加速状態が所定時間Ｔ１以上継続した
ｃ３：車速がアイドルストップ条件及びコーストストップ条件が非成立となった時点の車速より高車速である
ｃ４：車速がアイドルストップ条件及びコーストストップ条件が非成立となった時点の車速より高車速である状態が所定時間Ｔ２以上継続した
【００５８】
なお、条件ｃ２における所定時間Ｔ１は、車両が加速状態であることを精度よく判定できる程度の時間に設定される。条件ｃ３及びｃ４における条件非成立となった時点の車速は、前述のステップＳ１５においてアイドルストップ条件及びコーストストップ条件が非成立であると判定された時点の車速である。条件ｃ４における所定時間Ｔ２は、アイドルストップ条件及びコーストストップ条件が非成立となった時点の車速より高車速であることを精度よく判定できる程度の時間に設定される。
【００５９】
ステップＳ１７では、コントローラ１２は車両に加速要求があるか否か又は加速要求が予測されるか否かを判定する。加速要求がある又は加速要求が予測されると判定される場合には処理がステップＳ１８へ進み、加速要求がない及び加速要求が予測されないと判定される場合には処理が終了する。車両に加速要求があること又は加速要求が予測されることは、以下に示す条件を一つ以上満たすことによって判定される。
【００６０】
ｄ１：アクセルペダルが踏み込まれている（アクセル開度ＡＰＯ≠０）
ｄ２：アクセルペダルが踏み込まれている状態が所定時間Ｔ３以上継続した
ｄ３：アクセルペダルの踏み込み量が加速判定踏み込み量以上である
ｄ４：アクセルペダルの踏み込み量が加速判定踏み込み量以上である状態が、所定時間Ｔ４以上継続した
ｄ５：アクセルペダルの踏み込み速度が加速判定踏み込み速度（開度／ｓｅｃ）以上である
ｄ６：ブレーキペダルの解放速度が加速判定解放速度（開度／ｓｅｃ）以上である（ブレーキ液圧の低下速度が加速判定解放速度以上）
ｄ７：ブレーキペダルから足が離されてからアクセルペダルが踏み込まれるまでの踏み変え時間が加速判定踏み換え時間以下である
ｄ８：レンジ又はモードが切り替えられた（例えば、Ｌｏｗ側の１つ以上の変速段のみで変速を行うＳレンジ又はＬレンジに切り替えられたこと、マニュアル変速可能なＭモードに切り替えられたこと、パドルスイッチによってシフトされたこと、変速マップが全体的にＬｏｗ側に変更されるパワーモードスイッチがオンにされたこと、後退レンジであるＲレンジにシフトされたこと、などによって判断される）
ｄ９：車両の前後方向の加速度、横方向の加速度、又は合成加速度が所定加速度以上である
【００６１】
上記条件ｄ１〜ｄ５は加速要求があることを判定するための条件であり、条件ｄ６〜ｄ９は加速要求が予測されることを判定するための条件である。したがって、本ステップでは条件ｄ１〜ｄ９を一つ以上満たすことを判定することにより、運転者の加速意図があるか否かを判定している。
【００６２】
なお、条件ｄ２における所定時間Ｔ３は、アクセルペダルが踏み込まれていることを精度よく判定できる程度の時間に設定される。条件ｄ３における加速判定踏み込み量は、運転者が加速意図をもってアクセルペダルを踏み込んだことを精度よく判定できる程度の開度に設定される。条件ｄ４における所定時間Ｔ４は、運転者が加速意図をもってアクセルペダルを踏み込んだことを精度よく判定できる程度の時間に設定される。条件ｄ５における加速判定踏み込み速度は、運転者が加速意図をもってアクセルペダルを踏み込んだことを精度よく判定できる程度の速度に設定される。条件ｄ６における加速判定解放速度は、運転者が加速意図をもってブレーキペダルを解放したことを精度よく判定できる程度の速度に設定される。条件ｄ７における加速判定踏み換え時間は、運転者が加速意図をもってブレーキペダルからアクセルペダルへと踏み換えを行ったことを精度よく判定できる程度の時間に設定される。
【００６３】
すなわち、上記ステップＳ１６及びステップＳ１７では、コントローラ１２は、アイドルストップ制御又はコーストストップ制御が中止してからすぐに、再度アイドルストップ条件又はコーストストップ条件が成立してアイドルストップ制御又はコーストストップ制御を再開する可能性があるか否かを判定している。
【００６４】
ステップＳ１８では、コントローラ１２は電動オイルポンプ１０ｅを停止させる。すなわち、前述のステップＳ１６又はＳ１７において車両が加速状態にある又は運転者の加速意図があると判定された場合には、アイドルストップ制御及びコーストストップ制御を直後に再開する可能性が低いと判断して、コントローラ１２は電動オイルポンプ１０ｅを停止させる。なおこの場合、エンジン１は始動しているので電動オイルポンプ１０ｅを停止させても必要な油圧は確保される。
【００６５】
ステップＳ１９では、コントローラ１２はＥＯＰ起動禁止タイマを作動させる。これにより、ＥＯＰ起動禁止タイマが完了するまで、すなわちゼロとなるまで、電動オイルポンプ１０ｅの再起動は禁止される。
【００６６】
以上の処理をまとめると、アイドルストップ制御又はコーストストップ制御が行われて電動オイルポンプ１０ｅが作動している場合に、アイドルストップ条件及びコーストストップ条件が非成立となっても、車両が加速状態である又は運転者の加速意図があると判定されるまでは電動オイルポンプ１０ｅの作動を継続させる。
【００６７】
次に、本実施形態の作用について図４〜図６を参照しながら説明する。図４は、比較例における電動オイルポンプの作動状態を示すタイムチャートである。
【００６８】
運転者がブレーキペダルを踏み込むことで車速が低下しているコースト状態で走行中、時刻ｔａにおいてコーストストップ条件が成立して電動オイルポンプ１０ｅが起動する。
【００６９】
その後時刻ｔｂにおいて、運転者がブレーキペダルから足を離すことでコーストストップ条件が非成立となり、エンジン１を始動させるとともに電動オイルポンプ１０ｅを停止させる。これにより、ＥＯＰ起動禁止タイマが作動され、ＥＯＰ起動禁止タイマが完了するまで電動オイルポンプ１０ｅの再起動は禁止される。
【００７０】
その後すぐ時刻ｔｃにおいて、運転者がブレーキペダルを再度踏み込むことによりコーストストップ条件が再度成立する。しかし、ＥＯＰ起動禁止タイマがまだ完了していないので、電動オイルポンプ１０ｅの再起動は禁止されており、よってコーストストップ制御を行うことができない。
【００７１】
時刻ｔｄにおいて、ＥＯＰ起動禁止タイマが完了し、この時点で電動オイルポンプ１０ｅの再起動が可能になるので、電動オイルポンプ１０ｅを起動してコーストストップ制御を実行する。
【００７２】
すなわち、時刻ｔｃからｔｄまでコーストストップ制御の開始が遅れ、その分だけエンジン１の停止が遅れるので、燃料消費量が増加して燃費が悪化する。
【００７３】
図５及び図６は、本実施形態におけるエンジン自動停止車両の作用を示すタイムチャートである。
【００７４】
図５に示すように、時刻ｔｂまでは比較例と同様であるが、本実施形態では時刻ｔｂにおいてコーストストップ条件が非成立となった後も、引き続き電動オイルポンプ１０ｅの作動を継続させる。これにより、時刻ｔｃにおいてコーストストップ条件が再度成立した時、電動オイルポンプ１０ｅは既に起動しており、ＥＯＰ起動禁止タイマに関係なくコーストストップ制御を実行することができる。
【００７５】
また、図６に示すように、時刻ｔｂにおいてコーストストップ条件が非成立となった後に電動オイルポンプ１０ｅを引き続き継続して作動させている状態で、時刻ｔｅにおいて車両が加速状態である又は運転者の加速意図があると判定されると、電動オイルポンプ１０ｅの作動を停止させる。その後、ＥＯＰ起動禁止タイマが作動する。
【００７６】
すなわち、本実施形態ではコーストストップ条件及びアイドルストップ条件が非成立となった後も、車両が加速状態である又は運転者の加速意図があると判定されるまでは電動オイルポンプ１０ｅの作動を継続させ、直後に再度コーストストップ条件及びアイドルストップ条件が成立する場合に備えている。
【００７７】
以上のように本実施形態では、アイドルストップ条件又はコーストストップ条件が成立して電動オイルポンプ１０ｅを起動している場合に、アイドルストップ条件及びコーストストップ条件が非成立となった時、その後、車両が加速状態である又は運転者に加速意図があると判定されるまで、電動オイルポンプ１０ｅの作動を継続させる。これにより、一時的にアイドルストップ制御又はコーストストップ制御が中断されたような状況において電動オイルポンプ１０ｅが停止してＥＯＰ起動禁止タイマが作動することを回避でき、アイドルストップ条件又はコーストストップ条件が再度成立した時に迅速にエンジン１を自動停止させることができる。よって、エンジン１の自動停止による燃費の向上効果を促進させることができる（請求項１、７に対応）。
【００７８】
また、コントローラ１２は、車両の加速度が負の値（減速状態）から正の値（加速状態）へと変化した場合（条件ｃ１）、加速状態が所定時間Ｔ１以上継続した場合（条件ｃ２）、車速がアイドルストップ条件及びコーストストップ条件が非成立となった時点の車速より高車速である場合（条件ｃ３）、又は車速がアイドルストップ条件及びコーストストップ条件が非成立となった時点の車速より高車速である状態が所定時間Ｔ２以上継続した場合（条件ｃ４）、車両が加速状態であるとの判定を行うので、車両の加速状態を容易に精度よく判定することができる（請求項４に対応）。
【００７９】
さらに、コントローラ１２は、アクセルペダルが踏み込まれている場合（条件ｄ１）、アクセルペダルが踏み込まれている状態が所定時間Ｔ３以上継続した場合（条件ｄ２）、アクセルペダルの踏み込み量が加速判定踏み込み量以上である場合（条件ｄ３）、アクセルペダルの踏み込み量が加速判定踏み込み量以上である状態が、所定時間Ｔ４以上継続した場合（条件ｄ４）、アクセルペダルの踏み込み速度が加速判定踏み込み速度（開度／ｓｅｃ）以上である場合（条件ｄ５）、ブレーキペダルの解放速度が加速判定解放速度（開度／ｓｅｃ）以上である場合（条件ｄ６）、又はブレーキペダルから足が離されてからアクセルペダルが踏み込まれるまでの踏み変え時間が加速判定踏み換え時間以下である場合（条件ｄ７）、運転者に加速意図があるとの判定を行うので、運転者の加速意図を容易に精度よく判定することができる（請求項５、６に対応）。
【００８０】
（第２実施形態）
第２実施形態では、電動オイルポンプ１０ｅの駆動継続時間に上限値を設けるため、以下に説明する制御を実行する。なお、車両の全体構成は第１実施形態と同様である。
【００８１】
図７は、コントローラ１２が実行する電動オイルポンプ１０ｅの制御の内容を示したフローチャートである。なお、このフローチャートは規定時間毎（例えば、１０ｍｓｅｃ毎）に繰り返し実行される。
【００８２】
ステップＳ３１〜Ｓ３５は、第１実施形態のステップＳ１１〜Ｓ１５と同一である。
【００８３】
ステップＳ３６では、コントローラ１２は電動オイルポンプ駆動継続タイマ（ＥＯＰ駆動継続タイマ）を作動させる。ＥＯＰ駆動継続タイマは、アイドルストップ条件及びコーストストップ条件が非成立となった後に電動オイルポンプ１０ｅの作動を継続している場合に、電動オイルポンプ１０ｅの連続作動時間が長時間となることを回避するために設定されるタイマである。電動オイルポンプ１０ｅは連続して作動させることでモータドライバが発熱するので、過熱防止のため連続作動時間には上限がある。したがって、ＥＯＰ駆動継続タイマは、コーストストップ制御及びアイドルストップ制御時の電動オイルポンプ１０ｅの作動時間を考慮して、電動オイルポンプ１０ｅを連続作動させながらモータドライバの過熱を防止できる程度の所定のタイマ値に設定される。
【００８４】
このようにして、ＥＯＰ駆動継続タイマは、電動オイルポンプ１０ｅが起動されてから最初の処理時（ステップＳ３１における判定がＹＥＳからＮＯへと変化した時）には、駆動継続上限時間がタイマ値として設定され、その後の処理時にはタイマ値がカウントされる。
【００８５】
ステップＳ３７及びＳ３８は、第１実施形態のステップＳ１６及びＳ１７と同一である。
【００８６】
ステップＳ３９では、コントローラ１２はＥＯＰ駆動継続タイマが完了したか否かを判定する。ＥＯＰ駆動継続タイマが完了している場合にはステップＳ４０ヘ進み、完了していない場合には処理を終了する。
【００８７】
ステップＳ４０及びＳ４１は、第１実施形態のステップＳ１８及びＳ１９と同一である。
【００８８】
以上の処理をまとめると、アイドルストップ条件及びコーストストップ条件が非成立となった後に電動オイルポンプ１０ｅの作動を継続している場合に、駆動継続上限時間だけ作動を継続しても車両が加速状態である及び運転者の加速意図があると判定されない場合は、電動オイルポンプ１０ｅの作動を停止させる。
【００８９】
次に、本実施形態の作用について図８を参照しながら説明する。図８は本実施形態におけるエンジン自動停止車両の作用を示すタイムチャートである。
【００９０】
図８に示すように、時刻ｔｂまでは第１実施形態と同様であるが、本実施形態では時刻ｔｂにおいてコーストストップ条件が非成立となった時、ＥＯＰ駆動継続タイマを作動させる。ＥＯＰ駆動継続タイマは時刻ｔｂにおいて駆動継続上限時間までステップ的に増加した後、時間の経過とともに徐々に低下していく。
【００９１】
その後、時刻ｔｆとなるまでの間、車速はほぼ一定であり、かつ車両の加速状態及び運転者の加速意図が検出されない。例えば、車両が下り坂を走行中であり、車両が勾配によって受ける加速方向の力と、エンジンブレーキや抵抗などから受ける制動力とがバランスしている状況では、アクセルペダル及びブレーキペダルをともに踏み込んでいないコースト状態で車速が一定に保持されることがある。このような場合に、時刻ｔｆにおいてＥＯＰ駆動継続タイマがゼロとなると、車両の加速状態及び運転者の加速意図が判定されていなくても電動オイルポンプ１０ｅの作動を停止させる。
【００９２】
以上のように本実施形態では、コーストストップ条件及びアイドルストップ条件が非成立となった後に電動オイルポンプ１０ｅの作動を継続させている場合であっても、条件非成立となってから駆動継続上限時間が経過した場合は、車両の加速状態及び運転者の加速意図が検出されていなくても電動オイルポンプ１０ｅの作動を停止させるので、電動オイルポンプ１０ｅの作動を長時間継続させることを回避することができる。よって、電動オイルポンプ１０ｅの連続作動によるモータドライバの過熱によって、次回作動時に電動オイルポンプ１０ｅの作動継続可能な時間が短くなることを抑制することができる（請求項２に対応）。
【００９３】
以上、本発明の実施形態について説明したが、上記実施形態は本発明の適用例を示したものに過ぎず、本発明の技術的範囲を上記実施形態の具体的構成に限定する趣旨ではない。本発明の趣旨を逸脱しない範囲で種々の変更が可能である。
【００９４】
例えば、上記第１及び第２の実施形態では、コーストストップ条件及びアイドルストップ条件が非成立となった後、車両の加速状態又は運転者の加速意図が判定されるまで、又はＥＯＰ駆動継続タイマが完了するまでは、電動オイルポンプ１０ｅの作動を継続させるが、この場合の電動オイルポンプ１０ｅの指示電流をエンジン１の作動状態に応じて通常起動時より低く設定してもよい。
【００９５】
すなわち、図９のタイムチャートに示すように、コーストストップ制御中又はアイドルストップ制御中は電動オイルポンプ１０ｅの指示電流を所定の指示電流とすることで必要油圧を確保し（時刻ｔａ〜ｔｂ）、コーストストップ条件及びアイドルストップ条件が非成立となった後は指示電流を所定の指示電流より低い値に設定する（ｔｂ〜ｔｃ）。この間は、エンジン１が再始動してメカオイルポンプ１０ｍが作動しているので、電動オイルポンプ１０ｅの吐出圧が低下しても必要油圧は十分に確保される。また、再度コーストストップ条件又はアイドルストップ条件が成立すると電動オイルポンプ１０ｅの指示電流を通常時の所定の指示電流へと戻すことでエンジン１が停止しても必要な油圧を確保することができる（ｔｃ以降）。
【００９６】
これにより、メカオイルポンプ１０ｍが作動している間は電動オイルポンプ１０ｅの指示電流を抑制することができるので、電動オイルポンプ１０ｅの電力消費を抑制して、新たにバッテリ１３を充電するために必要なエンジン１の燃料消費量を抑えて燃費を向上させることができる（請求項３に対応）。
【符号の説明】
【００９７】
１    エンジン
１０ｅ  電動オイルポンプ（第２オイルポンプ）
１０ｍ  メカオイルポンプ（第１オイルポンプ）
１２    コントローラ（加速判定手段、オイルポンプ制御手段）
【図１】
0005230703.tif 000002
【図２】
0005230703.tif 000003
【図３】
0005230703.tif 000004
【図４】
0005230703.tif 000005
【図５】
0005230703.tif 000006
【図６】
0005230703.tif 000007
【図７】
0005230703.tif 000008
【図８】
0005230703.tif 000009
【図９】
0005230703.tif 000010